(57)【要約】【課題】開閉体を開く前に枠側球流下路からの遊技球の流下を規制することができ、開閉体を開いて遊技球が枠側球流下路から落下する不都合をなくすことができる遊技機を提供する。【解決手段】球流下路の下流開口に球流下規制機構５０を臨ませて設け、該球流下規制機構５０は、流下規制部材５２と出没変換部５３とを備え、出没変換部５３は移動アーム６３を備え、前面枠には、透明部材保持枠をロック可能なロック機構２５と、透明部材保持枠のロック状態を解除するための解除操作部２９とを設け、解除操作部２９に連動して移動アーム６３を操作可能なリンク機構８５を備え、解除操作部２９を操作して透明部材保持枠のロック状態を解除すると、リンク機構８５が移動アーム６３を操作して移動アーム６３の移動を許容し、移動アーム６３を移動して流下規制部材５２を下流開口へ突出して遊技球が球流下路から球貯留空間部へ流下することを規制する。【選択図】図７
2008279106.tif 000002
【特許請求の範囲】
【請求項１】
前面枠と、該前面枠に対して開閉可能な開閉体と、該開閉体に設けられた開閉側球流下路と、前面枠側に設けられた枠側球流下路と、を備え、開閉体を閉じると開閉側球流下路と枠側球流下路とが連通して、遊技球を枠側球流下路から開閉側球流下路へ流下可能となる遊技機において、
前記枠側球流下路の下流開口に球流下規制機構を臨ませて設け、
該球流下規制機構は、枠側球流下路の下流開口に出没可能な流下規制部材と、該流下規制部材の出没動作を行う出没変換部と、を備え、
該出没変換部は、流下規制部材を接続した状態で移動可能な移動アームと、移動アームを流下規制部材が下流開口へ突出する方向へ付勢する付勢部材と、を備え、
前記前面枠には、開閉体を閉状態でロック可能なロック機構と、該ロック機構による開閉体のロック状態を解除するための解除操作部と、を設け、
該解除操作部に連動して移動アームを操作可能なリンク機構を備え、
前記解除操作部を操作して開閉体のロック状態を解除すると、リンク機構が移動アームを操作して移動アームの移動を許容し、付勢部材の付勢力により移動アームを移動して流下規制部材を下流開口へ突出して遊技球が枠側球流下路から開閉側球流下路へ流下することを規制することを特徴とする遊技機。
【請求項２】
前記出没変換部は、開閉体側へ引き出し可能であるとともに先端部を開閉体へ当接可能な当接ロッドと、該当接ロッドに連動して移動アームを操作する規制操作部と、を備え、該規制操作部により移動アームの移動を規制可能とし、
前記リンク機構は、規制操作部を介して移動アームを操作可能とし、
前記開閉体を閉じると、当接ロッドが前面枠側へ押圧され、この押圧動作に連動して規制操作部が付勢部材の付勢力に抗する方向へ移動アームを移動して流下規制部材を下流開口から引き抜き、この引き抜き状態で移動アームの移動を規制して遊技球が枠側球流下路から開閉側球流下路へ流下することを許容するように構成されたことを特徴とする請求項１に記載の遊技機。
【請求項３】
前記開閉体には、先端部を移動アームへ押圧して移動アームを操作可能な開閉押圧ロッドを備え、
前記出没変換部には、移動アームの移動を規制可能な移動規制部を備え、
前記リンク機構は、移動規制部を介して移動アームを操作可能とし、
前記開閉体を閉じると、開閉押圧ロッドが移動アームを押圧して、付勢部材の付勢力に抗して移動アームを操作して流下規制部材を下流開口から引き抜き、この引き抜き状態で移動規制部が移動アームの移動を規制して遊技球が枠側球流下路から開閉側球流下路へ流下することを許容するように構成されたことを特徴とする請求項１に記載の遊技機。
【発明の詳細な説明】
【技術分野】
【０００１】
本発明は、前面枠と、該前面枠に対して開閉可能な開閉体と、該開閉体に設けられた開閉側球流下路と、前面枠側に設けられた枠側球流下路とを備え、開閉体を閉じると開閉側球流下路と枠側球流下路とが連通して、遊技球を枠側球流下路から開閉側球流下路へ流下可能となるパチンコ遊技機等の遊技機に関する。
【背景技術】
【０００２】
従来の遊技機、例えば、パチンコ遊技機においては、前面枠（遊技機本体）の前側に開閉体としての前板を軸着し、該前板に貯留皿ユニット（供給皿）を備え、該貯留皿ユニットに遊技球を貯留可能な球貯留部（開閉側球流下路）を設けている。また、前面枠には、遊技球を流下可能な枠側球流下路を備え、貯留皿ユニットを前面枠に対して閉じた状態で枠側球流下路の下流開口と球貯留部とを連通して、遊技球を枠側球流下路から球貯留部へ供給できるように構成されている。さらに、下流開口を開閉して遊技球の流下を規制可能な流下規制部材（シャッター板）を備え、貯留皿ユニットを開くと流下規制部材により下流開口を閉じて、枠側球流下路から遊技球が落下する不具合を防ぐように構成されている（例えば、特許文献１参照）。
【特許文献１】特開２００７−０２９３０４号公報
【発明の開示】
【発明が解決しようとする課題】
【０００３】
ところで、上記特許文献に記載のパチンコ遊技機では、流下規制部材を開閉するためのカンチレバーを備え、該カンチレバーを開閉する前板に係合し、前板の開閉動作に伴って流下規制部材を開閉できるように構成されている。また、流下規制部材を付勢部材により閉状態へ変換する方向へ常時付勢し、前板を次第に開くと、流下規制部材が付勢部材の付勢力により次第に閉状態へ変換するように構成されている。しかしながら、前板を開き始めた状態では、流下規制部材が枠側球流下路を十分に閉じることができない。このため、
遊技球が枠側球流下路から前板と前面枠との間を通ってパチンコ遊技機の外方へ落下してしまう虞がある。
【０００４】
本発明は、上記の事情に鑑みてなされたものであり、その目的は、開閉体を開く前に枠側球流下路からの遊技球の流下を規制することができ、開閉体を開いて遊技球が枠側球流下路から落下する不都合をなくすことができる遊技機を提供しようとするものである。
【課題を解決するための手段】
【０００５】
本発明は、上記目的を達成するために提案されたものであり、請求項１に記載のものは、前面枠と、該前面枠に対して開閉可能な開閉体と、該開閉体に設けられた開閉側球流下路と、前面枠側に設けられた枠側球流下路と、を備え、開閉体を閉じると開閉側球流下路と枠側球流下路とが連通して、遊技球を枠側球流下路から開閉側球流下路へ流下可能となる遊技機において、
前記枠側球流下路の下流開口に球流下規制機構を臨ませて設け、
該球流下規制機構は、枠側球流下路の下流開口に出没可能な流下規制部材と、該流下規制部材の出没動作を行う出没変換部と、を備え、
該出没変換部は、流下規制部材を接続した状態で移動可能な移動アームと、移動アームを流下規制部材が下流開口へ突出する方向へ付勢する付勢部材と、を備え、
前記前面枠には、開閉体を閉状態でロック可能なロック機構と、該ロック機構による開閉体のロック状態を解除するための解除操作部と、を設け、
該解除操作部に連動して移動アームを操作可能なリンク機構を備え、
前記解除操作部を操作して開閉体のロック状態を解除すると、リンク機構が移動アームを操作して移動アームの移動を許容し、付勢部材の付勢力により移動アームを移動して流下規制部材を下流開口へ突出して遊技球が枠側球流下路から開閉側球流下路へ流下することを規制することを特徴とする遊技機である。
【０００６】
請求項２に記載のものは、前記出没変換部は、開閉体側へ引き出し可能であるとともに先端部を開閉体へ当接可能な当接ロッドと、該当接ロッドに連動して移動アームを操作する規制操作部と、を備え、該規制操作部により移動アームの移動を規制可能とし、
前記リンク機構は、規制操作部を介して移動アームを操作可能とし、
前記開閉体を閉じると、当接ロッドが前面枠側へ押圧され、この押圧動作に連動して規制操作部が付勢部材の付勢力に抗する方向へ移動アームを移動して流下規制部材を下流開口から引き抜き、この引き抜き状態で移動アームの移動を規制して遊技球が枠側球流下路から開閉側球流下路へ流下することを許容するように構成されたことを特徴とする請求項１に記載の遊技機である。
【０００７】
請求項３に記載のものは、前記開閉体には、先端部を移動アームへ押圧して移動アームを操作可能な開閉押圧ロッドを備え、
前記出没変換部には、移動アームの移動を規制可能な移動規制部を備え、
前記リンク機構は、移動規制部を介して移動アームを操作可能とし、
前記開閉体を閉じると、開閉押圧ロッドが移動アームを押圧して、付勢部材の付勢力に抗して移動アームを操作して流下規制部材を下流開口から引き抜き、この引き抜き状態で移動規制部が移動アームの移動を規制して遊技球が枠側球流下路から開閉側球流下路へ流下することを許容するように構成されたことを特徴とする請求項１に記載の遊技機である。
【発明の効果】
【０００８】
本発明によれば、以下のような優れた効果を奏する。
請求項１に記載の発明によれば、枠側球流下路の下流開口に球流下規制機構を臨ませて設け、該球流下規制機構は、枠側球流下路の下流開口に出没可能な流下規制部材と、該流下規制部材の出没動作を行う出没変換部とを備え、該出没変換部は、流下規制部材を接続した状態で移動可能な移動アームと、移動アームを流下規制部材が下流開口へ突出する方向へ付勢する付勢部材とを備え、前面枠には、開閉体を閉状態でロック可能なロック機構と、該ロック機構による開閉体のロック状態を解除するための解除操作部とを設け、該解除操作部に連動して移動アームを操作可能なリンク機構を備え、解除操作部を操作して開閉体のロック状態を解除すると、リンク機構が移動アームを操作して移動アームの移動を許容し、付勢部材の付勢力により移動アームを移動して流下規制部材を下流開口へ突出して遊技球が枠側球流下路から開閉側球流下路へ流下することを規制するので、開閉体のロック状態の解除動作と枠側球流下路からの遊技球の流下を規制する動作とを併せて行うことができ、開閉体を開放する準備を効率よく行うことができる。また、開閉体を開く前に、付勢部材の付勢力だけではなく、開閉体のロック状態の解除動作で生じた力をも利用して枠側球流下路からの遊技球の流下を規制することができる。したがって、開閉体を開いて遊技球が枠側球流下路から落下する不都合をなくすことができる。
【０００９】
請求項２に記載の発明によれば、出没変換部は、開閉体側へ引き出し可能であるとともに先端部を開閉体へ当接可能な当接ロッドと、該当接ロッドに連動して移動アームを操作する規制操作部とを備え、該規制操作部により移動アームの移動を規制可能とし、リンク機構は、規制操作部を介して移動アームを操作可能とし、開閉体を閉じると、当接ロッドが前面枠側へ押圧され、この押圧動作に連動して規制操作部が付勢部材の付勢力に抗する方向へ移動アームを移動して流下規制部材を下流開口から引き抜き、この引き抜き状態で移動アームの移動を規制して遊技球が枠側球流下路から開閉側球流下路へ流下することを許容するように構成したので、開閉体の閉状態への変換と枠側球流下路からの遊技球の流下を許容する動作とを併せて行うことができる。したがって、遊技機を遊技が開始可能な状態へ迅速に復旧させることができる。
【００１０】
請求項３に記載の発明によれば、開閉体には、先端部を移動アームへ押圧して移動アームを操作可能な開閉押圧ロッドを備え、出没変換部には、移動アームの移動を規制可能な移動規制部を備え、リンク機構は、移動規制部を介して移動アームを操作可能とし、開閉体を閉じると、開閉押圧ロッドが移動アームを押圧して、付勢部材の付勢力に抗して移動アームを操作して流下規制部材を下流開口から引き抜き、この引き抜き状態で移動規制部が移動アームの移動を規制して遊技球が枠側球流下路から開閉側球流下路へ流下することを許容するように構成したので、開閉体の閉状態への変換と枠側球流下路からの遊技球の流下を許容する動作とを併せて行うことができ、遊技機を遊技が開始可能な状態へ迅速に復旧させることができる。また、開閉体の閉状態への変換により生じた押圧力を、開閉押圧ロッドを用いて移動アームへ伝達することができ、移動アームを十分に操作することができる。
【発明を実施するための最良の形態】
【００１１】
以下、代表的な遊技機であるパチンコ遊技機を例に挙げて本発明の実施の最良の形態を図面に基づき説明する。図１はパチンコ遊技機の正面図である。
パチンコ遊技機１は、図１に示すように、外枠（機枠あるいは本体枠）２に前面枠（内枠）３を開閉可能に軸着し、この前面枠３のベースとなる前面枠本体４の上部には、前面に遊技領域を区画形成した遊技盤（図示せず）を収納可能とし、遊技盤の下方には変動表示ユニット７を着脱可能な状態で配置している（図２参照）。また、前面枠本体４の前面側には、一側（図１中、左側）が軸着された透明部材保持枠１１（本発明における開閉体に相当）を前後方向へ開閉（回動）可能に設け、該透明部材保持枠１１に透視可能な透明部材１２を保持し、透明部材保持枠１１の下部には、遊技球を貯留可能な球貯留ユニット１３を備えている。そして、透明部材保持枠１１を閉じると、遊技盤が透明部材保持枠１１に覆われるとともに、透明部材１２が遊技領域の前方に配置され、透明部材１２を通して遊技領域と変動表示ユニット７とを上下に並んだ状態で前方から視認できるように構成されている。さらに、前面枠本体４のうち閉状態の透明部材保持枠１１の下部に隣接する箇所には棚部１５を前面枠本体４の下部から前方へ突出して前後方向に厚肉な状態で配置している。そして、棚部１５の前面の一側（図１中、左側）には、遊技者が遊技中に操作可能な遊技演出用ボタン１６を備え、他側（図１中、右側）には、遊技者が遊技球を発射するために操作する発射操作ユニット（発射操作ハンドル）１７を備えている。
【００１２】
前面枠本体４は、大きな矩形状の開口を上寄りに開設した合成樹脂製枠体であり、開口に遊技盤と変動表示ユニット７とを上下に並べて収納している。また、図２に示すように、変動表示ユニット７と棚部１５との間には表示ユニット載置部１９を棚部１５よりも後方の位置に配置し、該表示ユニット載置部１９を上段とし、棚部１５を下段とした所謂ひな壇形状を形成している。そして、前面枠本体４のうち変動表示ユニット７の後方に位置する箇所には、球排出装置（図示せず）から排出された遊技球を流下可能な球排出流路２１を備えている。さらに、該球排出流路２１の下流端を変動表示ユニット７と表示ユニット載置部１９との間から前方へ臨ませ、透明部材保持枠１１を閉じると球排出流路２１の下流端と球貯留ユニット１３とが前後に並んで連通し、遊技球を球排出流路２１から球貯留ユニット１３へ供給できるように構成されている。なお、球排出流路２１については、後で詳細に説明する。
【００１３】
また、表示ユニット載置部１９と棚部１５との間の起立壁部２２には、遊技球が１個ずつ通過可能な球送り開口２３を開設し、該球送り開口２３の後方には、球貯留ユニット１３に貯留された遊技球を遊技領域へ向けて発射可能な発射装置（図示せず）を配置している。そして、発射装置と球送り開口２３との間には球送り流路（図示せず）を配置し、球貯留ユニット１３から球送り開口２３に流下してきた遊技球が球送り流路を通過して発射装置へ到達するように構成されている。
【００１４】
さらに、前面枠本体４には、透明部材保持枠１１を閉状態でロック可能なロック機構２５を備えている。ロック機構２５は、前面枠本体４のうち遊技盤を挟んで透明部材保持枠１１の軸着部とは反対側（図１中、右側）、言い換えると前面枠本体４のうち透明部材保持枠１１の自由端部が重合する箇所に配置されている。また、図３に示すように、金属板を屈曲する等して成形された縦長なロックベース２６を備え、該ロックベース２６の前側には、尖端部を上方へ向けた複数（本実施形態では３つ）の保持枠係合爪２７を上下方向へ移動可能な状態で前方へ向けて突設している。そして、保持枠係合爪２７をコイルばね等の係合付勢部材２８により常時上方へ付勢し、この状態で保持枠係合爪２７を透明部材保持枠１１へ係合して閉状態の透明部材保持枠１１をロックするように構成されている。
【００１５】
また、ロックベース２６の下部には、ロック機構２５による透明部材保持枠１１のロック状態を解除するための解除操作部（シリンダ錠）２９を備えている。解除操作部２９は、前面が発射操作ユニット１７の上方に常時露出した状態で配置され、透明部材保持枠１１の開閉に拘らず鍵を係合可能となるように設定されている。そして、該解除操作部２９に鍵（図示せず）を係合（挿入）して回動（詳しくは前面枠本体４の前方から見て時計回りに４５度回動）すると、係合付勢部材２８の付勢力に抗して保持枠係合爪２７を下方へ移動してロック機構２５のロック状態を解除、具体的には保持枠係合爪２７と透明部材保持枠１１との係合状態を解除できるように構成されている。
【００１６】
なお、ロック機構２５は、前面枠本体４と外枠２とをロックする機能をも備えている。具体的に説明すると、ロック機構２５の後部には、前面枠本体４と外枠２とを係合するための枠係合爪３０を上下方向へ移動可能な状態で配置し、枠係合爪３０を外枠２へ係合して前面枠本体４を外枠２へロックするように構成されている。また、解除操作部２９に鍵を係合し、この状態で解除操作部２９を前面枠本体４の前方から見て反時計回りに４５度回動すると、枠係合爪３０を上方へ移動して前面枠本体４と外枠２との係合状態を解除できるように構成されている。
【００１７】
球貯留ユニット１３は、前方へ膨出した球貯留皿３１を備え、該球貯留皿３１の内部を下方へ凹ませて球貯留空間部３３（本発明における開閉側球流下路に相当）を形成し、該球貯留空間部３３の後部には、球排出流路２１に連通可能な排出連通口３５を開設している（図５参照）。さらに、球貯留皿３１の後側には、球貯留空間部３３から下り傾斜した球整列路（図示せず）を設け、該球整列路の下流端には、後方へ下り傾斜する球導出路（図示せず）を連通している。そして、透明部材保持枠１１を閉じると、球導出路の後端部と球送り開口２３とを前後に重ねる状態で連通し、球導出路、球送り開口２３および球送り流路を介して、球貯留皿３１内の遊技球を発射装置へ供給することができるように構成されている。
【００１８】
次に、球排出流路２１について説明する。
球排出流路２１は、図４（ａ）に示すように、当該球排出流路２１の上流側に配置され、球排出装置の下端に接続流路（図示せず）を介して連通する逆Ｌ字状の連通路４１と、該連通路４１の下方に横方向へ下り傾斜した状態で配置され、球排出流路２１内に遊技球を貯留可能とする横長な排出貯留部４２と、該排出貯留部４２の傾斜下端に連通し、前方の球貯留ユニット１３側へ向けて下り傾斜した状態で配置された球流下路４３（本発明における枠側球流下路に相当）とを備えて構成されている。そして、球流下路４３の底部には、球流下路４３の幅方向に並んだ複数（本実施形態では４本）の球支持突条部４５を前後方向、言い換えると球流下路４３の延設方向に沿って延設し、隣り合う球支持突条部４５の間隔を遊技球の直径よりも狭い寸法に設定している。また、球支持突条部４５の細長い短冊状の上面を前方、言い換えると球流下路４３の下流開口４３ａ側へ向けて下り傾斜させて遊技球が転動可能な球転動部４６とし、透明部材保持枠１１を閉じた状態で球転動部４６の傾斜下端と球貯留ユニット１３の排出連通口３５とが近接し、球貯留空間部３３の底部が球転動部４６よりも僅かに低い位置で球転動部４６の前方に配置されるように構成されている（図５（ａ）参照）。さらに、隣り合う球転動部４６の傾斜下端の間を上下方向へ貫通させて出没空間部４８を形成し、該出没空間部４８に後述する球流下規制機構５０の一部を挿通できるように構成されている。
【００１９】
また、球流下路４３の下方には球流下規制機構５０を下流開口４３ａに臨ませて設けている。球流下規制機構５０は、図４（ａ）および（ｂ）に示すように、櫛歯状に形成され、下流開口４３ａに出没可能な複数（本実施形態では３本）の流下規制部材５２と、該流下規制部材５２の出没動作を行う出没変換部５３とを備え、流下規制部材５２を出没変換部５３の前方に配置している。そして、流下規制部材５２を下流開口４３ａへ突出して遊技球が球流下路４３から球貯留空間部３３へ流下することを規制する流下規制状態（図５（ｂ）参照）と、流下規制部材５２を下流開口４３ａから引き抜いて遊技球が球流下路４３から球貯留空間部３３へ流下することを許容する流下許容状態（図５（ａ）参照）とに変換できるように構成されている。
【００２０】
流下規制部材５２は、下流開口４３ａの幅方向に沿って並べられた縦長な櫛歯状の部材であり、横向き平板状の規制ベース５６の前後方向の一端（前端）から上方へ向けて延設されている。また、当該流下規制部材５２の幅（左右幅）を出没空間部４８よりも狭く設定するとともに、隣り合う流下規制部材５２の間隔を遊技球よりも狭く、且つ球支持突条部４５の幅よりも広く設定し、流下規制状態では出没空間部４８を通って下流開口４３ａへ突出し、流下許容状態では下流開口４３ａおよび出没空間部４８から引き抜かれて球転動部４６よりも下方へ配置するように構成されている。さらに、流下規制部材５２の上端部を尖らせて球列間挿入部５８を形成し、該球列間挿入部５８から流下規制部材５２を下流開口４３ａへ挿入できるように構成されている。そして、規制ベース５６の前後方向の他端（後端）には、出没変換部５３へ接続するための規制接続部５９を下方へ向けて延設し、該規制接続部５９を出没変換部５３の内部に配置している。なお、規制接続部５９と流下規制部材５２とを接続する規制ベース５６は、出没変換部５３の内部から外部へ延設する状態で配置されている。
【００２１】
出没変換部５３は、図４（ｂ）および図６に示すように、前側が蓋６１ａで閉成された収容ケース６１を備え、該収容ケース６１の内部に、流下規制部材５２を接続した状態で移動（回動）可能な２本の移動アーム６３（上側の第１アーム６３ａおよび下側の第２アーム６３ｂ）と、該移動アーム６３の移動（回動）を規制したり許容したりする移動規制機構６４とを収容して構成されている。第１アーム６３ａおよび第２アーム６３ｂは、互いに平行な横向き状態で配置されており、一端（図６（ａ）中、右端）を収容ケース６１内に軸着して上下方向へ回動可能とし、他端を規制接続部５９へ軸着している。また、上側の第１アーム６３ａの中間部にはコイルばね等の付勢部材６６の一端を係止し、該付勢部材６６の他端を収容ケース６１のうち第１アーム６３ａよりも上方の位置に係止して、付勢部材６６の付勢力により第１アーム６３ａとともに規制接続部５９、規制ベース５６、流下規制部材５２を引き上げる方向、すなわち流下規制部材５２が下流開口４３ａへ突出する方向へ常時付勢している。そして、第１アーム６３ａのうち収容ケース６１に軸着した軸着部を挟んで流下規制部材５２とは反対側には係合受部６８を設け、該係合受部６８の上下両縁部を移動規制機構６４側へ突出し、この上下両縁部の間を流下規制部材５２側へ凹ませて移動規制機構６４の一部を係合可能としている。
【００２２】
移動規制機構６４は、上下方向へ移動可能な係合ロッド７０（本発明における規制操作部に相当）と、先端部を透明部材保持枠１１に当接可能であり、前後方向へ移動可能、言い換えると透明部材保持枠１１側へ引き出し可能な当接ロッド７１と、Ｌ字状に屈曲し、係合ロッド７０と当接ロッド７１とを連結する連結部材７２とを備えて構成されている。また、係合ロッド７０には係合突起７３を第１アーム６３ａ側（図６（ａ）中、左側）へ向けて突設し、該係合突起７３を第１アーム６３ａの係合受部６８へ係合し、係合ロッド７０を移動すると、係合突起７３および係合受部６８を介して第１アーム６３ａを操作できるように構成されている。そして、当接ロッド７１の先端部（前端部）に当接ヘッド７１ａを備え、当接ロッド７１を前後方向へ移動して当接ヘッド７１ａを蓋６１ａに開設された出没開口６１ｂから出没可能としている。さらに、連結部材７２の屈曲部を収容ケース６１の側部に軸着して連結部材７２を上下方向へ回動自在とし、屈曲部から上方へ伸びた腕の先端部を当接ロッド７１の後端部へ軸着するとともに、屈曲部から前方へ伸びた腕の先端部を係合ロッド７０の上端部に軸着している（図６（ｂ），（ｄ），（ｆ）参照）。したがって、係合ロッド７０は、当接ロッド７１に連動して係合突起７３および係合受部６８を上下動させて第１アーム６３ａを操作するように構成されている。
【００２３】
なお、当接ヘッド７１ａの内部には磁石等の吸着部材７１ｂを収納し、透明部材保持枠１１の裏面のうち当接ヘッド７１ａに対向する箇所には、鉄製プレート等の被吸着部材を備え、該被吸着部材の後面（前面枠本体４側の面）を被吸着領域とし（いずれも図示せず）、該被吸着領域に当接ヘッド７１ａを吸着できるように構成されている。さらに、被吸着部材を前面枠本体４側へ常時付勢する保持枠側付勢部材を備え、被吸着部材の前方には被吸着部材が前後移動可能な空間部を形成し（いずれも図示せず）、常態（当接ヘッド７１ａが当接していない状態）では被吸着領域を透明部材保持枠１１の裏面（前面枠本体４側の面）と略同一面上に位置するように構成されている。
【００２４】
さらに、前面枠本体４は、図７に示すように、ロック機構２５と出没変換部５３（流下規制機構５０）との間にリンク機構８５を備えている。リンク機構８５は、ロック機構２５の解除操作部２９に連動して移動アーム６３を操作可能な機構であり、横長な第１リンクアーム８６と、縦長な第２リンクアーム８７とを備えて構成されている。具体的に説明すると、第１リンクアーム８６は、出没変換部５３寄りに配置されており、左右方向の中間部８６′を前面枠本体４へ軸着し、該軸着部（中間部）８６′を中心にして当該第１リンクアーム８６の端部を上下方向へ揺動できるように構成されている。さらに、第１リンクアーム８６の出没変換部５３側の端部（図７（ａ）中、左端部）にはロッド操作部８８を備え、該ロッド操作部８８を収容ケース６１の側部に開設された側方開口部６１ｃへ通して係合ロッド７０（詳しくは係合ロッド７０からロッド操作部８８側へ向けて突出した係合突出片９０）に係合している。また、第２リンクアーム８７は、その下端を第１リンクアーム８６のうちロック機構２５側の端部に軸着し、上端にはリンク係合爪９２をロック機構２５側へ向けて突設し、該リンク係合爪９２を解除操作部２９から突出した操作側突起２９ａへ係合している。なお、操作側突起２９ａは、解除操作部２９に挿入された鍵を時計回りに回動すると上方へ移動し（図７（ｂ）参照）、反時計回りに回動すると下方へ移動するように構成されている（図７（ａ）参照）。
【００２５】
このような構成の球流下規制機構５０およびリンク機構８５を備えて、透明部材保持枠１１を前面枠３に対して閉じると、図５（ａ）に示すように、球転動部４６と球貯留ユニット１３の排出連通口３５とが近接または当接して球貯留空間部３３の底部が球転動部４６よりも僅かに低い位置で球転動部４６の前方に配置され、透明部材保持枠１１が移動規制機構６４の出没変換部５３の当接ヘッド７１ａ（当接ロッド７１）を後方の前面枠３側へ押圧し、透明部材保持枠１１の被吸着領域に当接ヘッド７１ａを吸着した状態となる。すると、出没変換部５３は、図６（ｃ）および（ｄ）に示すように、当接ヘッド７１ａを後方（図６（ｄ）中、矢印Ａで示す方向）へ移動するとともに連結部材７２を上方（図６（ｄ）中、矢印Ｂで示す方向）へ回動して、係合ロッド７０を上方（図６（ｃ），（ｄ）中、矢印Ｃで示す方向）へ移動する。さらに、上昇した係合ロッド７０の係合突起７３により係合受部６８（詳しくは係合受部６８の上縁部）を押し上げて、第１アーム６３ａを付勢部材６６の付勢力に抗して下方（図６（ｃ）中、矢印Ｄで示す方向）へ回動する。すると、第１アーム６３ａの先端に接続された流下規制部材５２を下方へ移動し、この流下規制部材５２を下流開口４３ａから出没空間部４８を通って下方へ引き抜く（図５（ａ）参照）。すなわち、当接ロッド７１を押圧する動作に連動して係合ロッド７０が係合突起７３を介して移動アーム６３を操作して流下規制部材５２を下流開口４３ａから引き抜く。この結果、球流下規制機構５０は、流下許容状態へ変換し、遊技球が球流下路４３から球貯留空間部３３へ流下することを許容する。
【００２６】
また、透明部材保持枠１１を十分に閉じることで第１アーム６３ａをさらに下方へ回動すると、この回動により流下規制部材５２が下死点に到達するとともに、係合突起７３が係合受部６８の上縁部を押し退けて上縁部の側部に当接する（図６（ｅ），（ｆ）参照）。すると、移動規制機構６４（具体的には係合ロッド７０の係合突起７３）が第１アーム６３ａを下がった状態でロックして流下規制部材５２の引き抜き状態を維持し、付勢部材６６の付勢力により第１アーム６３ａが上方へ移動すること、ひいては流下規制部材５２が上昇することを規制する。したがって、球流下規制機構５０は、流下許容状態に維持される。このことから、透明部材保持枠１１の閉状態への変換と球流下路４３からの遊技球の流下を許容する動作とを併せて行うことができる。これにより、パチンコ遊技機１を遊技が開始可能な状態へ迅速に復旧させることができる。
【００２７】
なお、透明部材保持枠１１の閉状態においては、図７（ａ）に示すように、第１リンクアーム８６のロッド操作部８８が係合突出片９０により押し上げられて第１リンクアーム８６が時計方向（図７（ａ）中、矢印Ｉで示す方向）へ回動する。これにより、第２リンクアーム８７が下方（図７（ａ）中、矢印Ｊで示す方向）へ移動してリンク係合爪９２を常態（解除操作していない状態）における解除操作部２９の操作側突起２９ａへ上方から係合する。さらに、保持枠係合爪２７が透明部材保持枠１１へ係合して閉状態の透明部材保持枠１１をロックする。
【００２８】
一方、透明部材保持枠１１を前面枠３に対して開くには、まず、解除操作部２９に鍵を係合して操作する。具体的には、鍵を係合した状態で前面枠本体４の前方から見て時計回りに４５度回動する。すると、ロック機構２５は、ロック状態を解除して透明部材保持枠１１が開状態へ変換することを許容する。さらに、操作側突起２９ａを上方へ移動してリンク係合爪９２および第２リンクアーム８７を上方（図７（ｂ）中、矢印Ｋで示す方向）へ移動する。すると、リンク機構８５は、軸着部８６′を中心にして第１リンクアーム８６を反時計方向（図７（ｂ）中、矢印Ｌ方向）へ回動してロッド操作部８８を下方へ移動し、係合ロッド７０を下方（図７（ｂ）中および図６（ｃ），（ｄ）中、矢印Ｇで示す方向）へ移動する。
【００２９】
係合ロッド７０が下方へ移動すると、下降した係合ロッド７０の係合突起７３が係合受部６８の上縁部から下方へ外れ、第１アーム６３ａの回動規制が解除される（図６（ｃ），（ｄ）参照）。したがって、リンク機構８５は、係合ロッド７０を介して第１アーム６３ａを操作して該第１アーム６３ａの移動を許容する。そして、第１アーム６３ａの回動規制が解除されると、第１アーム６３ａが付勢部材６６の付勢力により上方（図６（ｃ）中、矢印Ｈで示す方向）へ迅速に回動し、この回動に伴って流下規制部材５２を上昇させ、出没空間部４８を通してこの流下規制部材５２を下流開口４３ａへ突出する（図４（ｂ）および図６（ａ），（ｂ）参照）。この結果、球流下規制機構５０は、流下規制状態へ変換し、透明部材保持枠１１を前面枠本体４（前面枠３）に対して開く前に（すなわち球転動部４６と排出連通口３５との間隔が遊技球の直径よりも広くなる前に）遊技球が球流下路４３から球貯留空間部３３へ向けて流下することを規制する。したがって、透明部材保持枠１１のロック状態の解除動作と球流下路４３からの遊技球の流下を規制する動作とを併せて行うことができ、透明部材保持枠１１を開放する準備を効率よく行うことができる。また、透明部材保持枠１１を開く前に、付勢部材６６の付勢力だけではなく、透明部材保持枠１１のロック状態の解除動作で生じた力をも利用して球流下路４３からの遊技球の流下を規制することができる。したがって、透明部材保持枠１１を開いて遊技球が球流下路４３から落下する不都合をなくすことができる。
【００３０】
さらに、係合ロッド７０の下降に連動して連結部材７２が下方（図６（ｄ）中、矢印Ｆで示す方向）へ回動するとともに当接ヘッド７１ａが前方（図６（ｄ）中、矢印Ｅで示す方向）へ移動する。すると、当接ヘッド７１ａは、保持枠側付勢部材の付勢力に抗して被吸着部材を前方、すなわち、透明部材保持枠１１を開状態へ変換する方向へ押圧する。したがって、当接ヘッド７１ａからの押圧力を利用して透明部材保持枠１１を開き易い。そして、透明部材保持枠１１を開くと、透明部材保持枠１１に吸着した当接ロッド７１が十分に引き出され、透明部材保持枠１１を前方へ引く力が当接ヘッド７１ａの吸着力よりも大きくなると、当接ヘッド７１ａが透明部材保持枠１１から離れる。したがって、透明部材保持枠１１を大きく開いて前面枠３の前面を開放することができる。
【００３１】
ところで、上記実施形態では、移動アーム６３を複数の構成要素（係合ロッド７０、当接ロッド７１、連結部材７２）を介して透明部材保持枠１１の閉動作時の押圧力を移動アーム６３へ伝達し、この押圧力により移動アーム６３を回動して流下規制部材５２を下方へ移動していたが、本発明はこれに限定されない。例えば、図８および図９に示す第２実施形態では、透明部材保持枠１１に設けられた一つの構成要素を直接移動アーム６３へ押圧して移動アーム６３および流下規制部材５２を操作できるように構成されている。具体的に説明すると、第２実施形態における透明部材保持枠１１は、裏面から前面枠本体４側へ向けて開閉押圧ロッド９５を延設し、該開閉押圧ロッド９５を当該開閉押圧ロッド９５の中心軸ＣＬ回りに回動自在な状態で備えている。さらに、開閉押圧ロッド９５の先端部（前面枠本体４側の端部）には、後方の前面枠本体４側へ向けて下り傾斜した押圧傾斜面９５ａを形成し、該押圧傾斜面９５ａを移動アーム６３（詳しくは第１アーム６３ａ）の一部へ当接（押圧）可能としている。
【００３２】
また、第２実施形態における出没変換部５３は、基本的には第１実施形態と同じ構成であるが、移動規制機構６４および係合受部６８を備えていない。その代わりに、第１アーム６３ａのうち収容ケース６１に軸着した軸着部を挟んで流下規制部材５２とは反対側には押圧受部９７を設け、該押圧受部９７の前面には、後方へ向けて下り傾斜した受部傾斜面９７ａを形成し、該受部傾斜面９７ａに開閉押圧ロッド９５の押圧傾斜面９５ａを面接触できるように構成されている。さらに、収容ケース６１の下部のうち第２アーム６３ｂの下方に臨ませた位置に移動規制開口９９を開設し、第２アーム６３ｂの中間部には、先端部が移動規制開口９９に挿脱可能な移動規制部１００を回動自在な状態で軸着している。そして、移動規制部１００の先端部に規制爪１０１を突設し、該規制爪１０１を移動規制開口９９の縁部に係止して第２アーム６３ｂの移動、すなわち移動アーム６３の移動を規制できるように構成されている。
【００３３】
さらに、第２実施形態におけるリンク機構１０４は、収容ケース６１にリンク連結部材１０５の中間部を軸着し、該リンク連結部材１０５により横長な第１リンクアーム１０６の一端（図９（ａ）中、右端）と縦長な第２リンクアーム１０７の下端との間を連結し、第２リンクアーム１０７の上端には、解除操作部２９の操作側突起２９ａへ上方から係合可能なリンク係合爪１０８を備えている。また、第１リンクアーム１０６の先端部（リンク連結部材１０５とは反対側の端部）を収容ケース６１の下面に沿って移動可能とし、第２リンクアーム１０７を上方へ移動すると第１リンクアーム１０６の先端部が移動規制開口９９側（図９（ａ）中、左側）へ移動して移動規制開口９９の縁部（具体的には規制爪１０１が係止可能な縁部）に到達し、第２リンクアーム１０７をその自重により下方へ移動すると第１リンクアーム１０６の先端部が第２リンクアーム１０７側（図９（ａ）中、右側）へ移動して移動規制開口９９の縁部から後退するように構成されている。
【００３４】
このような構成を備えた第２実施形態のパチンコ遊技機１において、透明部材保持枠１１を前面枠３に対して閉じると、図９（ａ）および（ｂ）に示すように、開閉押圧ロッド９５が押圧傾斜面９５ａを収容ケース６１内に挿入して押圧受部９７へ当接する。さらに、透明部材保持枠１１を閉じると、押圧傾斜面９５ａが第１アーム６３ａの受部傾斜面９７ａを押圧し、この受部傾斜面９７ａに沿って下方へ摺動しながら押圧受部９７を上方へ押し上げて回動させる（図９（ｂ）参照）。このとき、開閉押圧ロッド９５は、中心軸ＣＬを中心に回動自在な状態で設けられているので、回動する押圧傾斜面９５ａを受部傾斜面９７ａへ面接触の状態で押圧し続けることができる。すると、出没変換部５３は、第１アーム６３ａを付勢部材６６の付勢力に抗して下方（図９（ｃ）中、矢印Ｍで示す方向）へ回動して第１アーム６３ａの先端に接続された流下規制部材５２を下方へ移動し、この流下規制部材５２を下流開口４３ａから出没空間部４８を通って下方へ引き抜く（図５（ａ）参照）。この結果、球流下規制機構５０は、流下許容状態へ変換し、遊技球が球流下路４３から球貯留空間部３３へ流下することを許容する。また、第１アーム６３ａとともに第２アーム６３ｂが下方へ回動して、移動規制部１００が先端部を移動規制開口９９へ挿入して規制爪１０１を移動規制開口９９の縁部へ係止する。すると、移動規制部１００は、流下規制部材５２を引き抜いた状態で第２アーム６３ｂおよび第１アーム６３ａの移動を規制し、第１アーム６３ａおよび第２アーム６３ｂが付勢部材６６の付勢力により上昇すること、ひいては流下規制部材５２が上昇することを規制する。したがって、球流下規制機構５０は、流下許容状態に維持される。このことから、透明部材保持枠１１の閉状態への変換と球流下路４３からの遊技球の流下を許容する動作とを併せて行うことができる。これにより、パチンコ遊技機１を遊技が開始可能な状態へ迅速に復旧させることができる。また、透明部材保持枠１１を閉じる動作により発生した押圧力を、開閉押圧ロッド９５を用いて移動アーム６３へ伝達することができ、移動アーム６３を十分に操作することができる。
【００３５】
一方、透明部材保持枠１１を前面枠３に対して開くには、まず、解除操作部２９に鍵を係合して操作する。具体的には、鍵を係合した状態で前面枠本体４の前方から見て時計回りに４５度回動する。すると、ロック機構２５は、ロック状態を解除して透明部材保持枠１１が開状態へ変換することを許容し、操作側突起２９ａを上方へ移動してリンク係合爪１０８および第２リンクアーム１０７を上方（図９（ｅ）中、矢印Ｎで示す方向）へ移動する。すると、リンク機構１０４は、第１リンクアーム１０６の先端部を移動規制開口９９へ向かう方向（図９（ｅ）中、矢印Ｐで示す方向）へ移動して規制爪１０１を押圧し、この規制爪１０１を移動規制開口９９から外し、第２アーム６３ｂおよび第１アーム６３ａの回動規制を解除する。言い換えると、リンク機構１０４は、移動規制部１００を介して第１アーム６３ａおよび第２アーム６３ｂを操作して上方へ回動することを許容する。そして、第１アーム６３ａの回動規制が解除され、さらに透明部材保持枠１１を僅かに開いて開閉押圧ロッド９５と押圧受部９７との係合が解除されると、第１アーム６３ａが付勢部材６６の付勢力により上方（図９（ｅ）中、矢印Ｑで示す方向）へ迅速に回動し、この回動に伴って流下規制部材５２を上昇させ、出没空間部４８を通してこの流下規制部材５２を下流開口４３ａへ突出する（図５（ｂ）および図９（ａ）参照）。この結果、球流下規制機構５０は、流下規制状態へ変換し、透明部材保持枠１１を前面枠３に対して十分に開く前に（すなわち球転動部４６と排出連通口３５との間隔が遊技球の直径よりも広くなる前に）遊技球が球流下路４３から球貯留空間部３３へ向けて流下することを規制する。したがって、透明部材保持枠１１のロック状態の解除動作と球流下路４３からの遊技球の流下を規制する動作とを併せて行うことができ、透明部材保持枠１１を開放する準備を効率よく行うことができる。
【００３６】
ところで、上記実施形態では、移動アーム６３を収容ケース６１内に軸着して回動するように構成したが、本発明はこれに限定されない。要は、移動アーム６３の移動により流下規制部材５２を移動できればどのような構成であってもよく、例えば、移動アーム６３をスライドして流下規制部材５２を球流下路４３の下流開口４３ａに出没できるようにしてもよい。また、係合ロッド（規制操作部）７０は、上下動して移動アーム６３を操作するように構成されたが、本発明はこれに限定されず、移動アーム６３を操作して移動を規制可能であればどのような構成であってもよい。さらに、リンク機構８５，１０４は、解除操作部２９に連動して移動アーム６３を操作可能であれば、どのような構成であってもよい。
【００３７】
また、上記実施形態では、流下規制部材５２を櫛歯状に設定したが、本発明はこれに限らず、球流下路４３内の遊技球の流下を規制可能であれば、どのような構成であってもよい。そして、開閉側球流下路を備えた開閉体として球貯留空間部３３を備えた透明部材保持枠１１を例示し、開閉側球流下路に連通可能な枠側球流下路として球排出流路２１の一部を例示したが、本発明はこれに限定されない。本発明における開閉体は、前面枠３に対して開閉可能であり、且つ遊技球を流下可能な構成要素を備えていればどのようなものでもよく、例えば、遊技球を貯留（流下）可能な球貯留皿を備え、透明部材保持枠１１とは別個に前面枠３へ軸着された球貯留ユニットであってもよい。さらに、本発明における枠側球流下路は、前面枠３に配置され、遊技球を開閉側球流下路へ供給可能なものであればどのようなものでもよい。
【００３８】
そして、上記実施形態では、代表的な遊技機であるパチンコ遊技機を例にして説明したが、本発明はこれに限らず、前面枠と、該前面枠に対して開閉可能な開閉体と、該開閉体に設けられた開閉側球流下路と、前面枠側に設けられた枠側球流下路とを備え、開閉体を閉じると開閉側球流下路と枠側球流下路とが連通して、遊技球を枠側球流下路から開閉側球流下路へ流下可能となる遊技機であればどのような遊技機でもよい。例えば、アレンジボール式遊技機、雀球式遊技機等の遊技機であってもよい。
【００３９】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４０】
【図１】パチンコ遊技機の正面図である。
【図２】透明部材保持枠を開放したパチンコ遊技機の下部周辺の拡大斜視図である。
【図３】（ａ）はロック機構の後方から見た斜視図、（ｂ）はロック機構の側面図である。
【図４】（ａ）は球排出流路の斜視図、（ｂ）は球流下規制機構の分解斜視図である。
【図５】（ａ）は球流下規制機構を流下許容状態に変換した球排出流路の断面図、（ｂ）は球流下規制機構を流下規制状態に変換した球排出流路の断面図である。
【図６】球流下規制機構の状態を示す概略図であり、（ａ）は流下規制状態の正面図、（ｂ）は（ａ）の側面図、（ｃ）は流下規制状態と流下許容状態との中間状態の正面図、（ｄ）は（ｃ）の側面図、（ｅ）は流下許容状態の正面図、（ｆ）は（ｅ）の側面図である。
【図７】（ａ）球流下規制機構とロック機構との連動を示す概略図であり、（ａ）はロック機構を解除状態にする前の概略図、（ｂ）はロック機構を解除した状態の概略図である。
【図８】第２実施形態における球流下規制機構の斜視図である。
【図９】第２実施形態における球流下規制機構およびリンク機構の説明図であり、（ａ）は透明部材保持枠を閉じる直前の状態図、（ｂ）は（ａ）のＸ１−Ｘ１断面図、（ｃ）は透明部材保持枠を閉じた時の状態図、（ｄ）は（ｃ）のＸ２−Ｘ２断面図、（ｅ）は解除操作部を操作した時の状態図、（ｆ）は（ｅ）のＸ３−Ｘ３断面図である。
【符号の説明】
【００４１】
１  パチンコ遊技機
３  前面枠
１１  透明部材保持枠
１３  球貯留ユニット
２４  球排出流路
２５  ロック機構
２９  解除操作部
２９ａ  操作側突起
３１  球貯留皿
３３  球貯留空間部
３５  排出連通口
４１  連通路
４２  排出貯留部
４３  球流下路
４３ａ  下流開口
４５  球支持突条部
４６  球転動部
４８  出没空間部
５０  球流下規制機構
５２  流下規制部材
５３  出没変換部
５８  球列間挿入部
６３  移動アーム
６３ａ  第１アーム
６３ｂ  第２アーム
６４  移動規制機構
６６  付勢部材
６８  係合受部
７０  係合ロッド
７１  当接ロッド
７２  連結部材
７３  係合突起
８５  リンク機構
８６  第１リンクアーム
８７  第２リンクアーム
８８  ロッド操作部
９５  開閉押圧ロッド
９７  押圧受部
１００  移動規制部
１０４  リンク機構
１０６  第１リンクアーム
１０７  第２リンクアーム
【図１】
2008279106.tif 000003
【図２】
2008279106.tif 000004
【図３】
2008279106.tif 000005
【図４】
2008279106.tif 000006
【図５】
2008279106.tif 000007
【図６】
2008279106.tif 000008
【図７】
2008279106.tif 000009
【図８】
2008279106.tif 000010
【図９】
2008279106.tif 000011